(57)【要約】【課題】  スナップ係合方式のコネクタの利点を維持しつつ、さらにその係合時の操作性や防塵、防滴を改良した、スナップ係合により電気的に接続される端子間接続部のカバー装置及びそれを用いた端子間接続装置を提供する。【解決手段】  スナップ係合により電気的に接続される端子間接続部のカバー装置は、それぞれ基板８１，９１の中央に開口部８２，９２を有し、かつ、周囲に所定高さの周壁８３，９３が立設された一対の雄カバー部材８０と雌カバー部材９０とからなり、上記雄カバー部材の周壁が雌カバー部材の周壁に嵌入してスナップ係合するように構成されている。好適には、雄カバー部材と雌カバー部材はプラスチックにより作製され、また、雄カバー部材及び雌カバー部材の少なくとも一方の周壁は、基板の基端側の肉厚が上端側の肉厚よりも厚くなるように構成される。【選択図】        図５
2006324061.tif 000002
【特許請求の範囲】
【請求項１】
スナップ係合により電気的に接続される端子間接続部のカバー装置であって、それぞれ基板の中央に開口部（８２、９２）を有し、かつ、周囲に所定高さの周壁（８３、９３）が立設された一対の雄カバー部材（８０）と雌カバー部材（９０）とからなり、上記雄カバー部材（８０）の周壁（８３）が雌カバー部材（９０）の周壁（９３）に嵌入してスナップ係合するように構成されていることを特徴とする端子間接続部のカバー装置。
【請求項２】
前記雄カバー部材（８０）と雌カバー部材（９０）がプラスチックにより作製されていることを特徴とする請求項１に記載の端子間接続部のカバー装置。
【請求項３】
前記雄カバー部材（８０）及び雌カバー部材（９０）の少なくとも一方の周壁（８３、９３）は、基板の基端側の肉厚が上端側の肉厚よりも厚くなるように構成されていることを特徴とする請求項１又は２に記載の端子間接続部のカバー装置。
【請求項４】
一対の端子（２６）と；それぞれ端子に取り付けるための取付け部（４１，６１）を有し、共に導電性材料により形成された一対の雄部材（４０，４０ａ，４０ｂ，４０ｃ，４０ｄ，４０ｅ）と雌部材（６０，６０ａ，６０ｂ）とからなるスナップ係合自在なコネクタ（３０）と；前記請求項１又は２に端子間接続部のカバー装置（８０、９０）とから構成され、カバー装置の雄カバー部材（８０）と雌カバー部材（９０）が、それぞれ上記端子の一方と上記コネクタの雄部材又は雌部材のいずれか一方とにより挟持された状態で端子に取り付けられていることを特徴とする、スナップ係合により電気的に接続される端子間接続装置。
【請求項５】
前記端子の少なくとも一方が蓄電セルの端子であることを特徴とする請求項４に記載の端子間接続装置。
【請求項６】
前記コネクタの雄部材は、端子を挿通可能な内孔（５０）を有するベース体（４１）と、前記内孔端面に設けられた雌ねじ部（４６）と、前記内孔（５０）を囲繞するように前記ベース体（４１）から立設された雄側係合部（４２）とを備え、前記雌部材は、端子を挿通可能な内孔（７０）を有するベース体（６１）と、前記内孔端面に設けられた雌ねじ部（６８）と、前記内孔（７０）を囲繞するように前記ベース体（６１）から立設された雌側係合部（６２）とを備えていることを特徴とする請求項４又は５に記載の端子間接続装置。
【発明の詳細な説明】
【技術分野】
【０００１】
本発明は、スナップ係合により電気的に接続される端子間接続部のカバー装置及びそれを用いた端子間接続装置に関する。
【背景技術】
【０００２】
例えば、電気自動車の蓄電電源装置としてウルトラキャパシタと称される蓄電装置が知られている。この蓄電装置は、電力を蓄電あるいは放電するキャパシタセルを数百個備えて構成される（例えば、特許文献１参照）。
しかしながら、ウルトラキャパシタを組み立てるにあたって、キャパシタセル同士を近接した状態に固定した上でさらに端子同士を導通させる電気配線をしなければならないので、組み立てに大変な手間とコストがかかるという問題がある。例えば、一つのウルトラキャパシタでは、溶接及び電気配線を数百個のキャパシタセルについて行うことになるので、時間、手間、コストが計り知れない。
また、ウルトラキャパシタを構成するキャパシタセルは、例えば溶接などの分離不可能な固定方法で固定されるので、キャパシタセルのいずれかに不具合が生じた場合には、ウルトラキャパシタを構成するすべてのキャパシタセルを廃棄することになる。
【０００３】
そこで、例えば特許文献２に開示されているように、本体の一端部に雄ねじ部を有する端子とそこに締結されるボルトとの問に、複数の蓄電素子を互いに接続するためのバスバーや導線を挟んで固定することが提案されている。しかしながら、特許文献２の技術では、雄ネジ部が細いため大電流を流すことができない。また、ボルト締結による接続であるため、作業性が悪く、さらに、端子にねじ部を形成するため製造コストが高くなる。
【０００４】
一方、例えば特許文献３に開示されているように、嵌合式の端子構造が知られている。この端子構造は、電解コンデンサの一側部に、嵌合式の雄端子と雌端子を設けたものである。しかしながら、嵌合式の雄端子と雌端子は電解コンデンサの一側部に固定されたものであり、着脱式ではないため融通性に劣るという難点がある。また、端子同士の接触面積を大きくすることができず、電流パスが小さいため、大電流を流すことができないという問題がある。
【特許文献１】特開平１０−１２５５５９号公報
【特許文献２】特開平９−９２２３８号公報
【特許文献３】実開平７−３６４３６号公報
【発明の開示】
【発明が解決しようとする課題】
【０００５】
本発明者らは、前記のような問題を解決すべく、スナップ係合により端子間を接続可能なコネクタを開発した。このコネクタは、それぞれ端子に取り付けるための取付け部を有し、共に導電性材料により形成された一対の雄部材と雌部材とからなるコネクタであって、上記雌部材がスナップ係合における雌側係合部を有し、前記雄部材がスナップ係合において前記雌側係合部に嵌入して係合する雄側係合部を有し、前記雄側係合部と雌側係合部とがスナップ係合した時に常に圧接するように構成されている。このコネクタは、前記したような問題もなく、簡単な操作で蓄電セルの端子同士の相対位置を固定すると同時に端子同士を電気的に接続でき、しかもスナップ係合した時にガタを生じることなく密着し、電気抵抗が小さく、良好に電気的接続を行うことができる着脱式のコネクタである。
【０００６】
前記スナップ係合による着脱式のコネクタの開発により、前記したような従来の問題は解決したが、コネクタは蓄電セルに比べて小さいため、着脱時に見難く、雌雄部材の中心位置がずれたり、場合によっては係合部を損傷することがあり、係合時の操作性の更なる改良の余地がある。また、コネクタやその端子接続部に埃や液体がかかった場合には、電気抵抗が大きくなったり、導電性にバラツキが生じたり、良好な電気的接続を損い易くなるので、防塵、防滴の面においても改善の余地がある。
【０００７】
従って、本発明の目的は、簡単な操作で蓄電セルの端子同士の相対位置を固定すると同時に端子同士を電気的に接続でき、しかもスナップ係合した時にガタを生じることなく密着し、電気抵抗が小さく、良好に電気的接続を行うことができるスナップ係合方式のコネクタの利点を維持しつつ、さらにその係合時の操作性や防塵、防滴を改良した、スナップ係合により電気的に接続される端子間接続部のカバー装置及びそれを用いた端子間接続装置を提供することにある。
【課題を解決するための手段】
【０００８】
前記目的を達成するために、本発明の第一の側面によれば、スナップ係合により電気的に接続される端子間接続部のカバー装置であって、それぞれ基板の中央に開口部を有し、かつ、周囲に所定高さの周壁が立設された一対の雄カバー部材と雌カバー部材とからなり、上記雄カバー部材の周壁が雌カバー部材の周壁に案内されるように構成されていることを特徴とする端子間接続部のカバー装置が提供される。
【０００９】
好適な態様においては、前記雄カバー部材の周壁が雌カバー部材の周壁に嵌入してスナップ係合するように構成されている。
他の好適な態様においては、前記雄カバー部材と雌カバー部材はプラスチックにより作製される。
また、前記雄カバー部材及び雌カバー部材の少なくとも一方の周壁は、基板の基端側の肉厚が上端側の肉厚よりも厚くなるように構成されることが好ましい。
【００１０】
さらに本発明の他の側面によれば、一対の端子と；それぞれ端子に取り付けるための取付け部を有し、共に導電性材料により形成された一対の雄部材と雌部材とからなるスナップ係合自在なコネクタと；前記請求項１乃至４のいずれか一項に記載の態様の端子間接続部のカバー装置とから構成され、カバー装置の雄カバー部材と雌カバー部材が、それぞれ上記端子の一方と上記コネクタの雄部材又は雌部材のいずれか一方とにより挟持された状態で端子に取り付けられていることを特徴とする、スナップ係合により電気的に接続される端子間接続装置が提供される。
【００１１】
好適な態様においては、前記端子の少なくとも一方が蓄電セルの端子であり、また、前記コネクタの雄部材は、端子を挿通可能な内孔を有するベース体と、前記内孔端面に設けられた雌ねじ部と、前記内孔を囲繞するように前記ベース体から立設された雄側係合部とを備え、前記雌部材は、端子を挿通可能な内孔を有するベース体と、前記内孔端面に設けられた雌ねじ部と、前記内孔を囲繞するように前記ベース体から立設された雌側係合部とを備えていることが好ましい。。
【発明の効果】
【００１２】
本発明の端子間接続部のカバー装置は、スナップ係合により電気的に接続される端子間接続部のカバー装置であって、上記雄カバー部材の周壁が雌カバー部材の周壁に案内されるように構成されている。すなわち、コネクタによる端子間接続がスナップ係合により行われ、カバー装置が案内し合う構成であるため、カバー装置の雄カバー部材と雌カバー部材がスナップ係合時の調芯ガイドとして機能し、係合時の操作性が格段に向上し、コネクタの雌雄部材の中心位置がずれたり、係合部を損傷するという問題は解消される。また、カバー装置の雄カバー部材を雌カバー部材に案内した時に、雄カバー部材と雌カバー部材により閉鎖空間が形成され、この中にコネクタによる端子間接続部が存在することになるので、防塵、防滴性が大幅に改善され、コネクタによる端子間接続部に埃や液体がかかったりすることが効果的に防止される。
【００１３】
また、本発明の端子間接続部のカバー装置を用いることにより、スナップ係合方式のコネクタ使用による効果・利点を充分に享受することができる。すなわち、スナップ係合方式のコネクタは、雄部材の雄側係合部と雌部材の雌側係合部とがスナップ係合した時に常に圧接するように構成されており、コネクタの雄部材を蓄電セルの一方の端子に、雌部材を他方の端子に取りつけることにより、複数の蓄電セルを極めて簡単に着脱自在に接続でき、端子同士の電気配線が不必要となり、また、雄側係合部と雌側係合部とがスナップ係合した時に常に圧接するように構成されているため、ガタを生じることなく密着し、電気抵抗が小さくなり、良好に電気的接続を行うことができる。また、電気抵抗が小さくなるので、発熱などの問題が生じることもない。また、端子同士をスナップ動作で係合／脱着できるので、組み立て作業や分解作業が非常に簡単である。特に、蓄電装置がウルトラキャパシタの場合、５０個以上の蓄電セルを接続しなければならないので、その効果は非常に大きく、組立て効率が格段に向上する。また、スナップ動作で脱着できるので、蓄電装置を簡単に分解でき、故障した蓄電セルを取り外して新しい蓄電セルに交換するなど、メンテナンスも簡単に行うことができる。このように作業効率が向上され、さらにメンテナンスも簡便になることから、優れたコスト削減効果を奏する。
【発明を実施するための最良の形態】
【００１４】
前記したように、本発明の端子間接続部のカバー装置は、スナップ係合により電気的に接続される端子間接続部のワッシャー様のカバー装置であって、上記雄カバー部材の周壁が雌カバー部材の周壁に案内されるように構成されている。そのため、以下のような作用・効果が得られる。
（１）スナップ係合時のガイド
コネクタによる端子間接続がスナップ係合により行われ、カバー装置が案内し合う構成であるため、カバー装置の雄カバー部材と雌カバー部材がスナップ係合時の調芯ガイドとして機能し、係合時の操作性が格段に向上し、コネクタの雌雄部材の中心位置がずれたり、係合部を損傷するという問題は解消される。なお、カバー装置が案内し合う構成としては、例えば、雄カバー部材の周壁端縁部及び／又は雌カバー部材の周壁端縁部が内方又は外方に拡大もしくは面取りされて、垂直な周壁部分同士が摺接して重なり合うような態様や、好ましくは雄カバー部材の周壁が雌カバー部材の周壁に嵌入してスナップ係合する態様など、種々の態様を採用することができる。
【００１５】
スナップ係合方式のコネクタは、使用時の脱落を防ぐ為に、係脱力が大きくされている。それと同時に係合力も大きくなっている。従って、係合時にスナップ係合方式のコネクタの雌雄の中心位置がずれた場合、係合に大きな力を要したり、係合部を損傷する恐れがある。本発明のカバー装置の雄カバー部材と雌カバー部材をスナップ係合時の調芯ガイドとして利用することにより、このような問題を解消できる。この場合、スナップ係合方式のコネクタの外側に、本発明のカバー装置を配置し、コネクタの雌雄部材が当接する前に、カバー装置の雌雄カバー部材を当接する様に、コネクタの雌雄部材とカバー装置の雌雄カバー部材の高さ関係を調整すればよい。また、カバー装置の雌雄カバー部材の形態を適したものとすれば（例えば、これらの径を大きくするなど）、中心位置のずれを吸収可能となる。さらに、雌雄カバー部材の周壁の肉厚を、上端開口部側よりも基端側に向かって厚くなるようにすれば、雄カバー部材の雌カバー部材への挿入に従い、調芯していくことになる。
【００１６】
（２）防塵、防滴性
また、カバー装置の雄カバー部材を雌カバー部材に案内された時に、雄カバー部材と雌カバー部材により閉鎖空間が形成され、この中にコネクタによる端子間接続部が存在することになるので、防塵、防滴性が大幅に改善され、コネクタによる端子間接続部に埃や液体がかかったりすることが効果的に防止される。
カバー装置の雄カバー部材及び雌カバー部材の材料としては、プラスチックス、金属等の弾性のある材料であれば使用可能であるが、上記の効果のためにはプラスチック材料で作製することが好ましい。
【００１７】
プラスチックス製のカバー装置を使用した場合、雌雄カバー部材がプラスチック同士であるため密着性を高くすることができ、雌雄カバー部材同士が重なり合うことにより、遊隙を生じないようにすることができる。また、プラスチックス製のカバー装置を使用した場合、密閉性に優れるために密閉空間内に結露を生ずる場合があり、これはコネクタの腐蝕等の原因になるため、例えば周壁の基端側に内部の結露を排出する為に水抜き穴を設けることが好ましい。
但し、上記防塵、防滴性が要求されないような環境下において使用する場合は、雌雄カバー部材の周壁が全周に亘って存在する必要はないため、弾力性を付与したり係合力を調節する為に、雄カバー部材及び／又は雌カバー部材の周壁にスリットや切欠き等を設けることもできる。また、スリットや切欠き等を設けた場合でも、それにの周方向の位置関係によって閉鎖空間を形成することができ、また開口率を調整することも可能である。
【００１８】
本発明に用いるスナップ係合方式のコネクタは、本発明者らによって初めて開発されたものであるため、以下においては蓄電セル用コネクタを例に挙げて詳細に説明する。
蓄電セル用コネクタは、それぞれ端子に取り付けるための取付け部を有し、共に導電性材料により形成された一対の雄部材と雌部材とからなる蓄電セル用コネクタであって、前記雌部材がスナップ係合における雌側係合部を有し、前記雄部材がスナップ係合において前記雌側係合部に嵌入して係合する雄側係合部を有し、前記雄側係合部と雌側係合部とがスナップ係合した時に常に圧接するように構成されていることを特徴としている。このような蓄電セル用コネクタは、ワンタッチのスナップ動作で、一方の端子と、この端子に電気的に導通される別の端子との相対位置を固定すると同時に、前記端子同士を電気的に接続するのに用いることができる。
【００１９】
このような蓄電セル用コネクタは、蓄電セル（もしくはキャパシタセル）の端子と、この端子に導通される別の端子とに、それぞれ雄部材と雌部材とが取り付けられる。そして、それぞれの端子に取り付けられた雄部材と雌部材とを雌雄の係合手段（雄側係合部、雌側係合部）のスナップ動作によって係合させる。すると、両端子の位置が近接した状態に固定される。さらに、雄部材と雌部材とが導電性の部材で形成されているので、雄部材と雌部材との係合により電気的に導通される。
また、雄部材と雌部材とをスナップ動作で脱着すると、端子同士が離間すると同時に電気的接続も解除される。
【００２０】
蓄電セル用コネクタの雄部材と雌部材との係合／脱着により、スナップ動作で端子同士を着脱可能に接続できるので、組み立て作業や分解作業が非常に簡単である。例えば、ウルトラキャパシタに代表されるような大型蓄電装置になると、数百個の蓄電セルを接続しなければならない場合もあるので、その効果は非常に大きい。
また、蓄電セル用コネクタの雄部材及び雌部材が導電性を有するので、両者を係合させれば、端子同士が電気的に導通される。そのため、電気配線が不必要となり、接続作業が非常に簡便になる。
【００２１】
蓄電セルの端子そのものにスナップ係合する機能を持たせることも考えられるが、繰り返しのスナップ動作によって係合手段が損傷した場合には、端子ごと取り替えるか、端子だけを外せなければ蓄電セルごと取り替える必要が生じる。この点、端子に対して別部材としての蓄電セル用コネクタを取り付けることにより、係合手段（雄側係合部、雌側係合部）が損傷した場合には雄部材あるいは雌部材だけを取り替えればよく、交換部品のコストを大幅に削減することができる。
【００２２】
なお、雄部材及び雌部材を形成する導電性部材は、例えばタフピッチ銅などの電気伝導率が大きい金属であることが好ましいが、この他、導電性高分子であってもよく、あるいは、高分子材料に銅、銀、黒鉛などの導体を分散した電気伝導性樹脂であってもよい。
ここで、前記蓄電セル用コネクタの雄部材及び雌部材の少なくとも一方は、鍛造にて一体成型されることが好ましい。鍛造で成型すれば製造効率が高く、その結果、製造コストを低減させることができる。
また、蓄電セルの端子に導通接続される別の端子としては、もう一つの蓄電セルの端子であってもよく、あるいはバスプレートなどの接続部材に設けられた端子であってもよく、両端子の形状や構造は同じでも異なっていてもよい。
【００２３】
以下、添付図面に示す本発明の実施態様を説明しつつ、本発明についてより具体的に詳細に説明する。
まず、本発明の蓄電装置に係る基本的な第１実施形態を図１〜図８を参照して説明する。
この蓄電装置は、例えば、多数の電気二重層キャパシタセル（蓄電セル）により構成された大型コンデンサの一種であって、電気自動車の蓄電電源装置であるウルトラキャパシタとして利用される。
図１に全体的に示されるように、蓄電装置１は、内部に収納空間を有する筐体２と、筐体２内に収納され大型の蓄電容量を有する蓄電ブロック３とを備えている。
【００２４】
蓄電ブロック３は、蓄電ブロック３を構成する単位ユニットとなるキャパシタセル（蓄電セル）２０と、複数のキャパシタセル２０を導通させるバスプレート４と、蓄電ブロック３を一つの集合体にまとめる括着プレート６と、キャパシタセル２０同士あるいはキャパシタセル２０とバスプレート４とを接続するコネクタ（蓄電セル用コネクタ）３０とを備えている。
【００２５】
キャパシタセル２０は、図２に示されるように、内部に収納空間を有するケース体２１と、ケース体２１に収納された電池部２５と、電池部２５からの電力を入出力するための端子２６とを備えている。
ケース体２１は、上下両端を除いて電池部２５の周囲を囲繞する側板２２と、側板２２の上下両端の開口を閉塞する蓋板２３とから構成されている。側板２２の開口側端縁と蓋板２３の周縁部とが、折り重ねられた状態で外側へ巻き折られるように折り曲げられて封止され、ケース体２１の内部が密封される。このとき、折り曲げられて形成された壁が蓋板２３から立ち上がり、端子２６を囲む周壁２４となる。
【００２６】
電池部２５は、コンデンサであり、例えば、電気二重層キャパシタセルで構成されることが一例として挙げられる。
端子２６は、ケース体２１に収納された電池部２５からケース体２１の外部に臨み、ケース体２１の上部と下部とにそれぞれ設けられている。端子２６は、蓋板２３の略中央を突出して設けられ、その外周部には雄ねじ部２７を備えている。なお、蓋板２３から端子２６の先端までの高さは、蓋板２３から周壁２４の先端までの高さに略等しい。
【００２７】
ここで、図２に示されるように、直列に接続された２つのキャパシタセル２０によって蓄電モジュール１０が構成される。このとき、２つのキャパシタセル２０が接続された状態では、周壁２４の先端同士が当接して、２枚の蓋板２３と周壁２４によって端子２６、２６が外部から区画された状態となる。この蓋板２３と周壁２４とによる区画によって接続空間が形成される。そして、図１に示されるように、並列に接続された１個の蓄電モジュール１０によって蓄電ブロック３が構成される。
【００２８】
バスプレート４は、所定ピッチで配設された複数の端子５を備え、並列に配列された蓄電モジュール１０の上下両端にそれぞれ配設される。バスプレート４の端子５と蓄電モジュール１０（キャパシタセル２０）の端子２６とがコネクタ３０により接続される。バスプレート４により、並列に配列された蓄電モジュール１０が電気的に導通される。
【００２９】
括着プレート６は、複数の蓄電モジュール１０がバスプレート４で挟持されて形成される積層ユニットと略同じ長さの基板７と、この基板７の両端から連続して突設された挟持片８とを備え、複数の蓄電モジュール１０を挟んだ状態のバスプレート４を側方から挟持片８で挟んで括り止めする。
【００３０】
コネクタ３０は、蓄電モジュール１０を構成する２つのキャパシタセル２０の間に配設されていると共に、キャパシタセル２０とバスプレート４との間に配設されている。コネクタ３０は、キャパシタセル２０同士あるいはキャパシタセル２０とバスプレート４とを係脱可能に係止すると同時に、電気的に導通させる。
コネクタ３０は、スナップ動作によって着脱する雄部材４０及び雌部材６０から構成されている。
【００３１】
雄部材４０は、図３及び図５に示されるように、中央に内孔５０を有する略円形平板状のベース体４１と、ベース体４１の内側よりにおいて内孔５０に連続して立設され、端子への取付け部として機能するインナーリング部４５と、ベース体４１の外側寄りにおいてインナーリング部４５を囲んで立設されたアウターリング部（雄側係合部）４２とを備えている。
【００３２】
インナーリング部４５は、アウターリング部４２が設けられるのと同じ側に立ち上げられると共に、内孔５０の端縁から上方へ延設されている（図５参照）。そして、内孔５０の内周面には雌ねじ部４６が形成されている。
【００３３】
アウターリング部４２は、インナーリング部４５の周囲に所定間隔離間して立設されている。アウターリング部４２は、図５に示されるように、ベース体４１に連続する基端側４２Ａに対して、ベース体４１から離間する上端の開口側４２Ｂに向かって略Ｓ字状に湾曲したリングである。
そして、アウターリング部４２の外側面は、基端側４２Ａから開口側４２Ｂに向けて次第に内側へ径が小さくなっていくが、略中間部で径が大きくなり始め、この縮径部から径が大きくなる部分に移る位置に雄側係合凹部４３が形成されると共に、さらに開口側４２Ｂに向けて縮径するテーパ面によって雄側案内面４４が形成される。
アウターリング部４２は、弾性を有し、外側から内側へ向けて押圧力が付加されると、開口側４２Ｂが半径方向に僅かに縮径し、また、押圧力が解除されると、弾性復元力によって元の径に復元する。
【００３４】
一方、雌部材６０は、図４及び図５に示されるように、中央に内孔７０を有する略円形平板状のベース体６１と、ベース体６１の内側寄りにおいて内孔７０に連続して立設され、端子への取付け部として機能するインナーリング部６７と、ベース体６１の外側寄りにおいてインナーリング部６７を囲んで立設されたアウターリング部（雌側係合部）６２とを備えている。
【００３５】
インナーリング部６７は、アウターリング部６２が設けられるのと同じ側に立ち上げられていると共に、内孔７０の端縁から上方に延設されている（図５参照）。そして、内孔７０の内周面には雌ねじ部６８が形成されている。
【００３６】
アウターリング部６２は、インナーリング部６７から所定間隔離間して立設されている。アウターリング部６２は、図５に示されるように、ベース体６１に連続する基端側６２Ａから徐々に縮径し、上端の開口側６２Ｂ近傍でがやや拡径して屈曲したリングである。アウターリング部６２の内周面は、基端側６２Ａから開口側６２Ｂに向けて徐々に縮径するが、途中で拡径に転じる。
アウターリング部６２の内周面において、縮径する部分に嵌合凹部６４が形成されると共に、開口側６２Ｂへ向けて拡径するテーパ面によって雌側案内面６６が形成される。また、基端側６２Ａから縮径し、拡径に転じる位置内面に雌側係合凸部６５が形成される。
【００３７】
アウターリング部６２は、図４に示されるように、一定のピッチで設けられた８つの切欠き部６３によって８つに分割されている。そして、アウターリング部６２は弾性を有し、内側から外側に向けて押圧力が付加されると、開口側６２Ｂが半径方向に僅かに拡径すると共に、押圧力が解除されると、弾性復元力で元の径に復元する。なお、切欠き部６３が設けられることによって、アウターリング部６２の弾性的変位量が大きくなる。
【００３８】
なお、雌部材６０のアウターリング部６２における開口側６２Ｂの内径は、雄部材４０の雄側係合凹部４３における外径に比べて、略等しいか、あるいはやや大径であり、雌部材挿入の案内部として機能し、スムーズな挿入・係合を行えるように構成されている。雌部材６０の雌側係合凸部６５の内径は、雄部材４０の雄側係合凹部４３の外径よりもやや小径である。そして、雌部材６０の嵌合凹部６４の内径は、雄部材４０の雄側係合凹部４３の外径に比べて、略等しいか、あるいはやや大径である。
【００３９】
本発明のカバー装置は、図５に明瞭に示されているように、それぞれ円盤状の基板８１、９１の中央に開口部８２、９２を有し、かつ、周囲に所定高さの周壁８３、９３が環状に立設された一対の雄カバー部材８０と雌カバー部材９０とからなる。開口部８２、９２の大きさは、前記キャパシタセル２０の端子２６よりも若干大きな直径を有する。
【００４０】
雄カバー部材８０の周壁８３は、コネクタの雄部材のアウターリング部４２と類似の形状を有し、図５に示されるように、上端の開口側８３Ｂに向かって略Ｓ字状に湾曲したリング状である。
そして、周壁８３の外側面は、基板８１に連続する基端側８３Ａから開口側８３Ｂに向けて次第に内側へ径が小さくなっていくが、略中間部で径が大きくなり始め、この縮径部から径が大きくなる部分に移る位置に雄側係合凹部８４が形成されると共に、さらに開口側８３Ｂに向けて縮径するテーパ面によって雄側案内面８５が形成される。
周壁８３は、弾性を有し、外側から内側へ向けて押圧力が付加されると、開口側８３Ｂが半径方向に僅かに縮径し、また、押圧力が解除されると、弾性復元力によって元の径に復元する。
【００４１】
一方、雌カバー部材９０の周壁９３は、コネクタの雌部材のアウターリング部６２と類似の形状を有し、図５に示されるように、基板９１に連続する基端側９３Ａから徐々に縮径し、上端の開口側９３Ｂ近傍でがやや拡径して屈曲したリング状である。周壁９３の内周面は、基端側９３Ａから開口側９３Ｂに向けて徐々に縮径するが、途中で拡径に転じる。縮径する部分に嵌合凹部９４が形成されると共に、開口側９３Ｂへ向けて拡径するテーパ面によって雌側案内面９６が形成される。また、基端側９３Ａから縮径し、拡径に転じる位置内面に雌側係合凸部９５が形成される。
【００４２】
コネクタの雄部材４０と雌部材６０とがスナップ動作によって着脱する動作について説明する。なお、カバー装置の雄カバー部材８０と雌カバー部材９０とのスナップ動作も全く同じであるため、コネクタの雄部材４０と雌部材６０のスナップ動作についてのみ記載する。
【００４３】
図５に示されるように互いのアウターリング部４２、６２が向き合うように雄部材４０と雌部材６０とを対置した状態から、一方を他方に押し込んでいく。すると、雄側案内面４４が雌側案内面６６に案内されて、雄部材４０のアウターリング部４２が雌部材６０のアウターリング部６２に嵌入される。さらに強く押し込むと、雄側案内面４４の径大するテーパによって雌側係合凸部６５が押し開かれ、雄側係合凹部４３が雌側係合凸部６５を乗り越えるスナップ動作が生じ、図６に示されるように、雌側係合凸部６５が雄側係合凹部４３に嵌着する。この状態で、雌部材６０のアウターリング部６２が縮径する向きに復元すると、雄部材４０の雄側係合凹部４３が雌部材６０の雌側係合凸部６５に拘束されて、雄部材４０と雌部材６０とが係合した状態となる。
また、図６の互いに係合した状態から、雄部材４０と雌部材６０とが離間する方向に引っ張られると、スナップ動作によって図５に示されるように、雄部材と雌部材とは脱着して、係合が外れた状態になる。
【００４４】
ここで、雄部材４０及び雌部材６０は、全体として導電性の金属リングで形成され、例えば、タフピッチ銅で形成されている。このような雄部材４０及び雌部材６０は、雌ねじ部４６、６８も含めて鍛造で形成されてもよい。
【００４５】
図２に示されるように、コネクタ３０は、蓄電モジュール１０を構成するキャパシタセル２０、２０の間に設けられて２つのキャパシタセル２０、２０を接続する。蓄電モジュール１０を構成する相向かい合うキャパシタセル２０の一方には雄部材４０が設けられ、他方には雌部材６０が取り付けられる。すなわち、一方のキャパシタセル２０の端子２６には雄部材４０が螺合され、他方のキャパシタセル２０の端子２６には雌部材６０が螺合される。
【００４６】
また、コネクタ３０は、キャパシタセル２０とバスプレート４との間に設けられて、キャパシタセル２０とバスプレート４とを接続する。この場合、キャパシタセル２０及びバスプレート４のいずれか一方の端子２６、５には雄部材４０が螺合され、いずれか他方の端子２６、５には雌部材６０が螺合される。
図２に示す例では、キャパシタセル２０の一方の端子２６には雄部材４０が取り付けられ、他方の端子２６には雌部材６０が取り付けられている。そして、一方のバスプレート４の端子５には雄部材４０が取り付けられ、他方のバスプレート４の端子５には雌部材６０が取り付けられる。
【００４７】
このような構成において、蓄電装置１の組立てについて説明する。
まず、複数のキャパシタセル２０を用意して、キャパシタセル２０の端子２６にカバー装置及びコネクタを取り付ける。このとき、キャパシタセル２０の端子２６には雄ねじ部２７が設けられているため、まず、図７に示すように、カバー装置の雄カバー部材８０（又は雌カバー部材９０）を嵌め、次にコネクタ３０の雄部材４０（又は雌部材６０）のインナーリング部４５（６７）に設けられた雌ねじ部４６（６８）を端子２６の雄ねじ部２７に螺合させ、雄部材４０（又は雌部材６０）のベース体４１（６１）と端子２６とで雄カバー部材８０（又は雌カバー部材９０）の基板８１（９１）を挟んだ状態に締結する。
また、バスプレート４を２枚用意して、バスプレート４の端子５にコネクタ３０（雄部材４０、雌部材６０）を取り付ける。
【００４８】
コネクタ３０の雄部材４０と雌部材６０との接続によって、２つのキャパシタセル２０を接続し、蓄電モジュール１０を構成する。このとき、コネクタ３０の雄部材４０と雌部材６０、及びカバー装置の雄カバー部材８０と雌カバー部材９０とは、図８に示されるようにスナップ動作で嵌着される。そして、コネクタ３０が導電性部材（例えばタフピッチ銅）で形成されているので、雄部材４０と雌部材６０との嵌着と同時にキャパシタセル２０が電気的に導通接続される。
【００４９】
蓄電モジュール１０を並列に１個ほど並べて、上下両端をバスプレート４で挟持する。このとき、コネクタ３０の雄部材４０と雌部材６０とがスナップ動作で嵌着される。そして、括着プレート６によりバスプレート４が蓄電モジュール１０を挟持した状態で括着されて、蓄電ブロック３が構成される。この蓄電ブロック３が筐体２に収納されて、蓄電装置１が構成される。
【００５０】
このような構成を備える第１実施形態によれば、次の効果を奏する。
カバー装置の雄カバー部材と雌カバー部材がスナップ係合時の調芯ガイドとして機能し、係合時の操作性が格段に向上し、コネクタの雌雄部材の中心位置がずれたり、係合部を損傷するという問題は解消される。また、カバー装置の雄カバー部材を雌カバー部材に案内した時に、雄カバー部材と雌カバー部材により閉鎖空間が形成され、この中にコネクタによる端子間接続部が存在することになるので、防塵、防滴性が大幅に改善され、コネクタによる端子間接続部に埃や液体がかかったりすることが効果的に防止される。
【００５１】
（２）コネクタ３０の雄部材４０と雌部材６０との係合／脱着によりキャパシタセル２０を着脱可能に接続できる。スナップ動作で係合／脱着できるので、組み立て作業や分解作業が非常に簡単である。特に、蓄電装置１（ウルトラキャパシタ）になると、２００個以上のキャパシタセル２０を接続しなければならないので、その効果は非常に大きく、組立て効率が格段に向上される。また、スナップ動作で脱着できるので、蓄電装置１を簡単に分解でき、故障したキャパシタセル２０を取り外して新しいキャパシタセル２０に交換するなどメンテナンスも行うことができる。このように作業効率が向上し、さらにメンテナンスも簡便になることから、優れたコスト削減効果を奏する。
【００５２】
（３）コネクタ３０の雄部材４０及び雌部材６０が導電性なので、係合させて接続すると、接続されたキャパシタセル２０同士が電気的に導通される。そのため、電気配線が不必要となり、組み立て作業が非常に簡便になる。
（４）端子２６の雄ねじ部２７にコネクタ３０（雄部材４０、雌部材６０）の雌ねじ部４６、６８を螺合させるだけでコネクタ３０をキャパシタセル２０に取り付けることができるので非常に簡便であり、例えば、溶接などに比べて簡単である。
【００５３】
（５）キャパシタセル２０を接続した際に、周壁２４の先端同士が当接しあい、端子２６が蓋板２３と周壁２４に囲まれる。よって、端子２６が外部から区画されて保護される。コネクタ３０（雄部材４０、雌部材６０）のアウターリング部４２、６２によって内側のインナーリング部４５、６７が囲まれているのでインナーリング部４５、６７が保護され、ひいては、さらに内側の端子２６が保護される。そのため、端子２６に異物が付着することが防止され、キャパシタセル２０の故障が防止される。その結果、蓄電装置１の動作が安定し、信頼性を向上させることができる。
【００５４】
（６）雌ねじ部４６、６７を含めてコネクタ（雄部材４０、雌部材６０）が鍛造又はプレス加工で形成されるので、成型が簡単であり、製造コストが削減される。
（７）外側のアウターリング部４２、６２で係合させれば、係合面積が大きくなるので、電気が導通する面積をそれだけ大きくできる。また、インナーリング部４５、６７と端子２６とがねじ部で螺合されるので、単に平坦面で接触する場合に比べてねじ山の凹凸分だけ接触面積が広くなる。このように接触面積が広くなる分、電気抵抗が小さくなり、良好に電気が通電される。また、電気抵抗が小さくなるので、発熱などの問題が生じることもない。
【００５５】
本発明で用いるコネクタには種々の変形が可能であるため、以下に幾つかの変形例について説明する。
＜変形例１＞
次に、本発明のコネクタに係るコネクタの変形例１について図９を参照して説明する。
変形例１の基本的構成は、第１実施形態で説明したコネクタ３０の構成と同様であるが、この変形例１の特徴は、インナーリング部に設けられる雌ねじ部にある。なお、以下の説明では雄部材を例にして説明するが、雌部材にも同様に適用できる。
図９に示されるコネクタ３０の雄部材４０ａは、ベース体４１と、アウターリング部４２と、インナーリング部４５とを備えている。
インナーリング部４５の内周面には雌ねじ部４６が設けられている。また、インナーリング部４５の内周面には、インナーリング部４５の軸線方向（筒軸方向）に溝４７が凹設されている。溝４７は、所定ピッチで設けられ、例えば１２０°間隔で３つ設けられている。なお、この溝４７内には雌ねじ部が螺刻されておらず、すなわち、雌ねじ部４６は溝４７によって分離されている。
【００５６】
ここで、このようなコネクタ３０の雄部材４０ａの製造方法について簡便に説明する。
まず、内孔５０を有するベース体４１にアウターリング部４２及びインナーリング部４５を備えた環状部材を鍛造又はプレス加工によって成型する。さらに、インナーリング部４５の内周面に所定ピッチで溝４７を刻設する。続いて、インナーリング部４５の内周面に、転造にて雌ねじ部４６を設ける。なお、溝４７の部分には、転造に用いた雄ねじ部の断面形状は転写されない。
【００５７】
このような変形例１によれば、転造で形成された雌ねじ部４６を有する雄部材４０ａを得ることができる。そのため、製造効率が向上し、製造コストが削減される。
【００５８】
＜変形例２＞
次に、本発明のコネクタの変形例２について図１０を参照して説明する。
変形例２の基本的な構成は変形例１と同様であるが、変形例２の特徴は、ツマミ部を備えているところにある。なお、以下の説明では雄部材を例にして説明するが、雌部材にも同様に適用できる。
図１０に示されるコネクタ３０の雄部材４０ｂは、ベース体４１と、アウターリング部４２と、インナーリング部４５とを備え、インナーリング部４５の内周面には雌ねじ部４６及び溝４７が転造によって形成されている。
図１０において、インナーリング部４５の上端部には、半径方向に伸びるツマミ部４８が設けられている。ツマミ部４８は、溝４７に連続して形成されており、１２０°間隔で３つ設けられている。
【００５９】
ここで、ツマミ部４８を形成する方法について説明する。インナーリング部４５の内周面に溝４７を形成するにあたって、インナーリング部４５の内周面をベース体４１側からインナーリング部４５の先端に向けて切削する。このとき、溝４７を切削する際に形成される舌状片をインナーリング部４５の先端において切り落とさずに、インナーリング部４５の内側から外側に向けて折り曲げる。すると、折り曲げられた舌状片によってツマミ部４８が形成される。
【００６０】
このような変形例２によれば、次の効果を奏することができる。
（１）ツマミ部４８が設けられるので、雄部材４０ｂをキャパシタセル２０の端子２６に螺合するときに、このツマミ部４８に指を引っ掛けて雄部材４０ｂを回すことができる。そのため、簡単かつ迅速に雄部材４０ｂを端子２６に取り付けることができる。
（２）雌ねじ部４６の転造に際して切削する部分を利用してツマミ部４８を形成する。すなわち、別部材で形成されたツマミを付設するわけではないので、製造コストを押し上げることなく、ツマミ部４８を形成することができる。
【００６１】
＜変形例３＞
次に、本発明のコネクタの変形例３について図１１を参照して説明する。
変形例３の基本的構成は変形例１と同様であるが、変形例３の特徴は、インナーリング部にスリットが設けられている点にある。なお、以下の説明では雄部材を例にして説明するが、雌部材にも同様に適用できる。
図１１に示される雄部材４０ｃは、ベース体４１と、アウターリング部４２と、インナーリング部４５とを備え、インナーリング部４５の内周面には雌ねじ部４６が転造によって設けられている。
図１１において、インナーリング部４５は、一定のピッチで設けられたスリット４９を備えている。スリット４９は、インナーリング部４５の基端から先端まで切り欠いて形成され、インナーリング部４５の基端においては、ベース体４１も僅かに切り込まれている。
スリット４９は、変形例１の溝４７と同じ位置に形成される。
【００６２】
このような変形例３によれば、弾性変形し易い雌ねじ部が刻設されたインナーリング部４５とすることができる。従って、インナーリング部４５の雌ねじ部４６を端子２６の雄ねじ部２７に螺合させ易いと共に、雄ねじ部２７を押圧して強く密接するので、通電性を高めることができる。
【００６３】
＜変形例４＞
次に、本発明のコネクタに係るコネクタの変形例４について図１２及び図１３を参照して説明する。変形例４の基本的な構成は変形例３と同様であるが、変形例４の特徴は、インナーリング部４５が上端に向かってテーパ状に次第に縮径する略裁頭円錐状に形成されている点にある。なお、以下の説明では雄部材を例にして説明するが、雌部材にも同様に適用できる。
図１２に示されるコネクタ３０の雄部材４０ｃにおいて、インナーリング部４５は雌ねじ部４６及びスリット４９を備えている。
【００６４】
図１２において、インナーリング部４５は、基端から上端に向けてテーパ状に縮径することにより、裁頭円錐状に形成されている。なお、図示の例では、内周面と共に外側面も上端に向けてテーパ状に縮径しているが、少なくとも雌ねじ部４６が設けられる内周面が縮径していればよい。また、インナーリング部４５の上端における最小径は、端子２６の径よりも僅かに小さい程度である。
このような構成において、図１３に示されるように、雄部材４０ｃを端子２６に螺合させる。すると、インナーリング部４５は端子２６の径によって拡径されていく。このとき、インナーリング部４５の雌ねじ部４６と端子２６の雄ねじ部２７との螺合が密接になり、互いの接触面積が大きくなる。
【００６５】
このような変形例４によれば、インナーリング部４５が上端に向かって縮径しているので、端子２６に螺合されたときに、インナーリング部４５の内周面が端子２６の外側面に強く密接した状態となる。そのため、インナーリング部４５と端子２６との接触面積が大きくなるので、キャパシタセル２０からコネクタ３０に流れる電力量を多くし、また抵抗を小さくすることができる。その結果、コネクタ３０により接続されたキャパシタセル２０同士の通電量が多くなり、しかも発熱等の不都合を生じることもない。
【００６６】
＜変形例５＞
次に、本発明のコネクタに係るコネクタの変形例５、６について図１４、図１５を参照して説明する。
変形例５の基本的構成は、第１実施形態で説明したコネクタ３０の構成と同様であるが、変形例５の特徴は、アウターリング部４２に切欠き部が設けられていると共に、アウターリング部４２の外側に孔部が設けられている点にある。なお、以下の説明では雄部材を例にして説明するが、雌部材にも同様に適用できる。
図１４に示される雄部材４０ｄは、ベース体４１と、アウターリング部４２と、インナーリング部４５とを備えている。
ここで、ベース体４１は、アウターリング部４２の外側に広がるフランジ部５２を有する形状である。そして、フランジ部５２には、周方向に一定の長さを有する操作孔部（孔部）５１が穿設されている。
アウターリング部４２は、操作孔部５１を穿設するにあたり、フランジ部５２においてインナーリング部４５に近い辺を残してベース体４１を切断すると共に、この切断にて形成される小片をインナーリング部４５の側に向けて立ち上げることで形成される。
図１４において、操作孔部５１は３つ設けられ、従って、アウターリング部４２は３箇所の切欠き部５３で分離されている。
【００６７】
＜変形例６＞
前記変形例５において、操作孔部５１の大きさや数、アウターリング部４２の切欠き部５３の大きさや数は特に限定されない。例えば、図１５に示される変形例６のように、操作孔部が小さく、アウターリング部６２の切欠き部７３が多くてもよい。
図１５に示される変形例６は雌部材の例であるが、雄部材にも同様に適用できる。図１５に示されるコネクタの雌部材６０ａは、ベース体６１と、アウターリング部６２と、インナーリング部６７とを備えている。インナーリング部６７の内周面には雌ねじ部６８が設けられており、また、軸線方向（筒軸方向）に沿って所定ピッチで、例えば１２０°間隔で３つの溝７１が凹設されている。ここで、ベース体６１は、アウターリング部６２の外側に広がるフランジ部７２を有する形状である。そして、この場合、ベース体６１を所定間隔で切起こすことにより形成された多数の爪状部分からなるアウターリング部６２が設けられており、切起こされた多数の爪状部分の箇所には孔部７４が形成される。
【００６８】
このような変形例５、６によれば、次の効果を奏することができる。
（１）操作孔部５１、７４が設けられているので、この操作孔部に指あるいは工具を差し込んで雄部材４０ｄや雌部材６０ａを回転させることができる。それにより、簡単かつ迅速に雄部材４０ｄや雌部材６０ａを端子２６に取り付けることができる。
（２）操作孔部５１、７４の形成は、アウターリング部４２、６２の形成と同時に行うことができるので、加工工程が増加せず、製造コストを押し上げることなく操作孔部を形成することができる。
（３）雌雄部材間の挿入荷重、抜き出し荷重は、アウターリング部の個々の爪状部分の形状で個々に調整することができる。
【００６９】
＜変形例７＞
次に、本発明のコネクタに係るコネクタの変形例７、８について図１６、図１７を参照して説明する。
変形例７の基本的構成は、第１実施形態で説明したコネクタ３０の構成と同様であるが、変形例７の特徴は、アウターリング部４２に切欠き部が設けられていると共に、アウターリング部４２の外側においてベース体４１の外縁部に凹部５５が設けられている点にある。なお、以下の説明では雄部材を例にして説明するが、雌部材にも同様に適用できる。
図１６に示されるコネクタの雄部材４０ｅは、ベース体４１と、アウターリング部４２と、インナーリング部４５とを備えている。
ベース体４１は、アウターリング部４２の外側に広がるフランジ部５２ａを有する形状である。アウターリング部４２は切欠き部５３で分離され、切欠き部５３に対応する隙間からフランジ部５２ａが半径方向外側へ延在している。
ここで、アウターリング部４２は、円形状に形成されたベース体４１の外縁から求心方向に切り込みを入れて、この切り込みで形成される小片をインナーリング部４５の側に立ち上げることで形成される。そして、アウターリング部４２が立ち上げられた背面にはフランジ部５２ａに挟まれた操作凹部（凹部）５５が形成される。
図１６において、操作凹部５５は４つ設けられ、従って、アウターリング部４２は４箇所の切欠き部５３で分離されている。
【００７０】
＜変形例８＞
前記変形例７において、操作凹部５５の大きさや数、アウターリング部４２の切欠き部５３の大きさや数は特に限定されない。例えば、図１７に示される変形例８の雌部材６０ｂのように、操作凹部７５が多くあり、アウターリング部６２の切欠き部７３が多くてもよい。
図１７に示される変形例６は雌部材の例であるが、雄部材にも同様に適用できる。図１７に示されるコネクタの雌部材６０ｂは、ベース体６１と、アウターリング部６２と、内周面軸線方向に３つの溝部７１が形成されたインナーリング部６７とを備えていることは、前記図１５に示す雌部材と同様である。
図１７に示される変形例７の特徴は、アウターリング部６２に多数の切欠き部が設けられていると共に、アウターリング部６２の外側においてベース体６１の外縁部に凹部７５が設けられている点にある。ベース体６１は、アウターリング部６２の外側に広がるフランジ部７２ａを有する形状である。多数の爪状部分からなるアウターリング部６２は多数の切欠き部７３で分離され、切欠き部７３に対応する隙間からフランジ部７２ａが半径方向外側へ延在している。ここで、アウターリング部６２の形成方法は、前記図１６に示す雄部材の場合と同様である。
【００７１】
このような変形例７、８によれば、次の効果を奏することができる。
（１）アウターリング部４２、６２の背面においてフランジ部５２ａ、７２ａに挟まれた操作凹部５５、７５が設けられているので、操作凹部５５、７５に指あるいは工具を差し込んでフランジ部５２ａ、７２ａに指や工具を引っ掛けるようにすると、雄部材４０ｅや雌部材６０ｂを回転させることができる。そのため、簡単かつ迅速に雄部材４０ｅや雌部材６０ｂを端子２６に取り付けることができる。
（２）操作凹部５５、７５の形成は、アウターリング部４２、６２の形成と同時に行うことができるので、加工工程が増加せず、製造コストを押し上げることなく操作凹部５５を形成することができる。
（３）雌雄部材間の挿入荷重、抜き出し荷重は、アウターリング部４２、６２の個々の爪状部分の形状で個々に調整することができる。
【００７２】
なお、本発明は、上記実施形態あるいは変形例に限定されず、本発明の要旨を逸脱しない範囲内で種々変更されてもよいことはもちろんである。
例えば、蓄電セルとしては電気二重層キャパシタセルなどが例として挙げられるが、コネクタ（蓄電セル用コネクタ）で接続される蓄電セルは特に限定されず、大きさや用途が多岐にわたる蓄電セルに広く適用できる。
【００７３】
また、図３、図９〜図１１に示される雄部材４０の雄側係合部としてのアウターリング部４２は、切れ目の無いリング状であるが、雌部材６０の雌側係合部（アウターリング部６２）にスナップ係合できれば、形状、大きさ、位置などは種々変更されてもよい。雄部材や雌部材における係合部はアウターリング部にあり、その係合力、係脱力の調整は、このような係合部の形状の修正により可能である。また、図４、図１４〜１５に示されるように雄部材や雌部材のアウターリング部にスリットや切り欠き部を設けることにより、弾力性が付与されるが、係合力、係脱力の調整はこれらスリットや切り欠き部の深さ、幅、数等を修正することによっても可能である。さらに、ベース体上に立設された係合部（アウターリング部）の傾き形状、傾斜角度等によっても、係合力、係脱力の調整が可能である。
同様に雌部材６０の雌側係合部としてのアウターリング部６２についても種々変更されてもよい。また、雄側係合部４２（雌側係合部６２）はインナーリング部４５、６７を環囲して設けられていなくてもよい。
【００７４】
また、前記図４、図１４〜１５に示される雌雄部材の係合部（アウターリング部）は、バネ性を向上させる為に、スリット又は切欠き部により複数個に分割されている。このように雌雄部材の両方の係合部（アウターリング部）に複数のスリット又は切欠き部が設けられている場合、雌雄部材の両方の係合片同士が周方向に配置される最良の場合の他、雌雄部材の係合状態では、一方の係合部材（雄又は雌部材）のアウターリング部の係合片が相手側（雌又は雄部材）の係合片に接触せず、スリット又は切欠き部に配置される場合がある。このような場合、雌雄部材間の導電性にバラツキが大きくなり、設計上問題である。このような悪い係合状態は、雌雄部材の係合部の分割数が同じ場合に生じ易い。そこで、雌雄部材の係合部の分割数を異なる数にし、雌雄部材間の導電性のバラツキを小さくし、あるいはなくすことが好ましい。
【産業上の利用可能性】
【００７５】
本発明のカバー装置は、例えば、ウルトラキャパシタとして電気自動車の蓄電電源装置や、また、例えば、携帯型電子機器のバッテリー装置の接続、特にウルトラキャシタやバッテリーの蓄電セル（キャパシタセル）を接続するスナップ方式のコネクタによる接続など、種々の端子間接続部のカバー装置として利用できる。
【図面の簡単な説明】
【００７６】
【図１】本発明の蓄電装置の一実施形態を概略的に示す部分断面図である。
【図２】前記図１に示す蓄電装置における蓄電モジュールの一実施形態を概略的に示す部分断面図である。
【図３】前記図２に示す蓄電モジュールにおけるコネクタの雄部材の第１実施形態を示す斜視図である。
【図４】前記図２に示す蓄電モジュールにおけるコネクタの雌部材の第１実施形態を示す斜視図である。
【図５】前記図２に示す蓄電モジュールにおけるコネクタの雄部材、カバー装置の雄カバー部材と、コネクタの雌部材、カバー装置の雌カバー部材とを対向させて配置した状態の断面図である。
【図６】前記図２に示す蓄電モジュールにおけるコネクタの雄部材、カバー装置の雄カバー部材と、コネクタの雌部材、カバー装置の雌カバー部材とをスナップ係合させた状態を示す断面図である。
【図７】前記図２に示す蓄電モジュールにおけるコネクタの雄部材、カバー装置の雄カバー部材と、コネクタの雌部材、カバー装置の雌カバー部材とを端子に取り付けた状態の断面図である。
【図８】前記図７に示す端子に取り付けたコネクタの雄部材、カバー装置の雄カバー部材と、コネクタの雌部材、カバー装置の雌カバー部材とをスナップ係合させた状態を示す断面図である。
【図９】本発明の蓄電セル用コネクタの雄部材の変形例１を示す斜視図である。
【図１０】本発明の蓄電セル用コネクタの雄部材の変形例２を示す斜視図である。
【図１１】本発明の蓄電セル用コネクタの雄部材の変形例３を示す斜視図である。
【図１２】本発明の蓄電セル用コネクタの変形例４を示し、（Ａ）は雄部材のインナーリング部を上方から見た平面図、（Ｂ）はその部分断面図、（Ｃ）は蓄電セルの端子の断面図である。
【図１３】前記図１２に示す蓄電セル用コネクタの変形例４において、蓄電セル用コネクタの雄部材を端子に螺合した状態を示す断面図である。
【図１４】本発明の蓄電セル用コネクタの雄部材の変形例５を示す斜視図である。
【図１５】本発明の蓄電セル用コネクタの雌部材の変形例６を示す斜視図である。
【図１６】本発明の蓄電セル用コネクタの雄部材の変形例７を示す斜視図である。
【図１７】本発明の蓄電セル用コネクタの雌部材の変形例８を示す斜視図である。
【符号の説明】
【００７７】
１…蓄電装置
３…蓄電ブロック
４…バスプレート
５…端子
６…括着プレート
１０…蓄電モジュール
２０…キャパシタセル（蓄電セル）
２１…ケース体
２４…周壁
２５…電池部
２６…端子
２７…雄ねじ部
３０…コネクタ（蓄電セル用コネクタ）
４０，４０ａ，４０ｂ，４０ｃ，４０ｄ，４０ｅ…雄部材
４１…ベース体
４２…アウターリング部（雄側係合部）
４５…インナーリング部
６０，６０ａ，６０ｂ…雌部材
６１…ベース体
６２…アウターリング部（雌側係合部）
６７…インナーリング部
８０…雄カバー部材
９０…雌カバー部材
８１，９１…基板
８２，９２…開口部
８３，９３…周壁
【図１】
2006324061.tif 000003
【図２】
2006324061.tif 000004
【図３】
2006324061.tif 000005
【図４】
2006324061.tif 000006
【図５】
2006324061.tif 000007
【図６】
2006324061.tif 000008
【図７】
2006324061.tif 000009
【図８】
2006324061.tif 000010
【図９】
2006324061.tif 000011
【図１０】
2006324061.tif 000012
【図１１】
2006324061.tif 000013
【図１２】
2006324061.tif 000014
【図１３】
2006324061.tif 000015
【図１４】
2006324061.tif 000016
【図１５】
2006324061.tif 000017
【図１６】
2006324061.tif 000018
【図１７】
2006324061.tif 000019